(57)【要約】【課題】  エレベータ乗場三方枠の縦枠下端及び遮煙・遮炎スクリーンのガイド枠下端の昇降路側に、点検蓋を配置し、外観の意匠性を損なうことのないエレベータの乗場出入口装置を得る。【解決手段】  乗場三方枠の左右両側部を構成する縦枠２と、乗場三方枠の上側部を構成する幕板３と、幕板内に取り付けられ、遮煙・遮炎スクリーン４を内蔵した遮煙・遮炎スクリーン装置５と、左右の縦枠にそれぞれ設けられ、遮煙・遮炎スクリーン４を上から下方向に向かってガイドする縦枠溝部６と、縦枠溝部に沿うように縦枠内に設けられたガイド枠７と、縦枠の下端部の昇降路側及びガイド枠の下端部の昇降路側にそれぞれ設けられた点検用開口部９、１１と、縦枠下端部及びガイド枠下端部の点検用開口部をそれぞれ開閉自在に閉塞する点検蓋１０、１２とを備える。【選択図】    図３
2005187174.tif 000002
【特許請求の範囲】
【請求項１】
乗場三方枠の左右両側部を構成する縦枠と、
前記乗場三方枠の上側部を構成する幕板と、
前記幕板内に取り付けられ、遮煙・遮炎スクリーンを内蔵した遮煙・遮炎スクリーン装置と、
前記左右の縦枠にそれぞれ設けられ、遮煙・遮炎スクリーンを上から下方向に向かって
ガイドする縦枠溝部と、
前記縦枠溝部に沿うように前記縦枠内に設けられたガイド枠と、
前記縦枠の下端部及び前記ガイド枠の下端部の昇降路側にそれぞれ設けられた点検用開
口部と、
前記縦枠下端部及び前記ガイド枠下端部の点検用開口部をそれぞれ開閉自在に閉塞する点検蓋と、
備えたことを特徴とするエレベータの乗場出入口装置。
【請求項２】
ガイド枠は断面Ｕ字状であり、Ｕ字状下端部の昇降路側の面を切り欠いて点検用開口部としたことを特徴とする請求項１記載のエレベータの乗場出入口装置。
【請求項３】
縦枠下端部の点検用開口部とガイド枠下端部の点検用開口部との間をトンネル状に連結し、その内側に点検通路を形成する塞ぎ板を備えたことを特徴とする請求項１又は請求項２記載のエレベータの乗場出入口装置。
【請求項４】
乗場三方枠内の塞ぎ板の外側は、モルタル等を詰める建築仕上げとされることを特徴とする請求項３記載のエレベータの乗場出入口装置。
【発明の詳細な説明】
【技術分野】
【０００１】
この発明は、遮煙・遮炎スクリーンが組み込まれた乗場三方枠を備えるエレベータの乗場出入口装置に関するものである。
【背景技術】
【０００２】
従来、遮煙・遮炎スクリーンが組み込まれた乗場三方枠を備えるエレベータの乗場出入口装置においては、乗場三方枠両側の縦枠の下端部位には、遮煙・遮炎スクリーンをガイドする縦枠溝部やガイド枠内部に侵入するゴミや塵埃を取り出すことができるように、開放自在な点検蓋を設けるようにすることが提案されている（例えば、特許文献１参照）。
【０００３】
【特許文献１】特願２００２−１５９７３１号
【発明の開示】
【発明が解決しようとする課題】
【０００４】
上記従来のエレベータの乗場出入口装置にあっては、外観の意匠性が特に重要視される乗場三方枠の縦枠下部の意匠面に、点検蓋の線が入るなど見栄えが悪くなってしまうという問題があった。また、乗場を出入する際に三方枠の縦枠下端に台車等が当って、点検蓋を破損したり、遮煙・遮炎スクリーンが乗場出入口を全閉できず、遮煙・遮炎性能が確保されない危険性があった。さらに、乗場側に点検蓋があるため、点検蓋を取り外すいたずら等も考えられる。
【０００５】
この発明は、上述のような課題を解決するためになされたもので、第１の目的は、エレベータ乗場三方枠の縦枠下端及び遮煙・遮炎スクリーンのガイド枠下端の昇降路側に、点検蓋を配置し、外観の意匠性を損なうことのないエレベータの乗場出入口装置を提供するものである。
【課題を解決するための手段】
【０００６】
この発明に係るエレベータの乗場出入口装置は、乗場三方枠の左右両側部を構成する縦枠と、乗場三方枠の上側部を構成する幕板と、幕板内に取り付けられ、遮煙・遮炎スクリーンを内蔵した遮煙・遮炎スクリーン装置と、左右の縦枠にそれぞれ設けられ、遮煙・遮炎スクリーンを上から下方向に向かってガイドする縦枠溝部と、縦枠溝部に沿うように縦枠内に設けられたガイド枠と、縦枠の下端部の昇降路側及びガイド枠の下端部の昇降路側にそれぞれ設けられた点検用開口部と、縦枠下端部及びガイド枠下端部の点検用開口部をそれぞれ開閉自在に閉塞する点検蓋とを備えたものである。
したものである。
【発明の効果】
【０００７】
この発明は、遮煙・遮炎スクリーンをガイドするために縦枠に設けられた縦枠溝部やガイド枠の内部に侵入するゴミや塵埃を昇降路側から取り出すことができるので、乗場意匠面側には点検蓋を必要とせず、乗場の意匠性を損なうことがない。また、乗場出入りの際に、乗場三方枠下端部に台車等が当って、点検蓋を破損し、遮煙・遮炎スクリーンが全閉できず、遮煙・遮炎性能が確保されないという危険性がなくなる。更に、昇降路側に点検蓋があるため、点検蓋を取り外すいたずら等を防止することができる。また、トンネル状の塞ぎ板により、点検通路が確実に確保できるため、乗場三方枠にモルタル等を詰める建築仕上げにも対応することができる。
【発明を実施するための最良の形態】
【０００８】
実施の形態１．
図１はこの発明の実施の形態１におけるエレベータの乗場出入口装置を示す正面図、図２はこの発明の実施の形態１におけるエレベータの乗場出入口装置の中央縦断面図、図３はこの発明の実施の形態１におけるエレベータの乗場出入口装置の要部横断面図、図４は図３を昇降路側から見た一部正面図、図５は点検蓋を取り外した状態を示す図４相当図である。
【０００９】
図１〜図５において、エレベータの乗場出入口装置は、乗場出入口を開閉する乗場の戸１と、この乗場の戸１の前面に設けられ、乗場三方枠の左右両側部を構成する縦枠２と、乗場の戸１の前面に設けられ、乗場三方枠の上側部を構成する幕板３と、乗場三方枠の上側部の幕板３内に取り付けられ、遮煙・遮炎スクリーン４を内蔵した遮煙・遮炎スクリーン装置５と、乗場三方枠の左右両側の縦枠２にそれぞれ設けられ、遮煙・遮炎スクリーン４を上から下方向に向かってガイドする縦枠溝部６と、この縦枠溝部６に沿うように縦枠２内に設けられた断面Ｕ字状のガイド枠７と、乗場出入口の下部に設けられ、乗場の戸１の下端部を摺動案内する乗場敷居８とから構成されている。そして、遮煙・遮炎スクリーン４は、常時は乗場出入口上部の遮煙・遮炎スクリーン装置５に巻き取られており、火災発生時に火災感知器又は煙感知器等（いずれも図示せず）の信号を受信し遮煙・遮炎スクリーン装置５から下降して乗場出入口前を封鎖して、防火区域を形成するものである。
【００１０】
この発明の実施の形態１においては、乗場三方枠の左右両側の縦枠２の下端部の昇降路側に点検用開口部９を設け、この開口部９を開閉自在又は着脱自在に閉塞する点検蓋１０を取り付けている。更に、左右両側の縦枠２内に設けられた断面Ｕ字状のガイド枠７の下端部の昇降路側の面を切り欠いて点検用開口部１１を設け、この開口部１１を開閉自在又は着脱自在に閉塞する点検蓋１２を取り付けている。
【００１１】
このように構成されたエレベータの乗場出入口装置においては、遮煙・遮炎スクリーン４をガイドするために縦枠２に設けられた縦枠溝部６やガイド枠７の内部に侵入するゴミや塵埃を昇降路側から取り出すことができるので、乗場意匠面側には点検蓋を必要とせず、乗場の意匠性を損なうことがない。また、乗場出入りの際に、三方枠下端部に台車等が当って、点検蓋を破損し、遮煙・遮炎スクリーン４が全閉できず、遮煙・遮炎性能が確保されないという危険性がなくなる。更に、昇降路側に点検蓋があるため、点検蓋を取り外すいたずら等を防止することができる。
【００１２】
実施の形態２．
図６はこの発明の実施の形態２におけるエレベータの乗場出入口装置の要部横断面図、図７は図６を昇降路側から見た一部正面図、図８は点検蓋を取り外した状態を示す図７相当図である。
図６〜図７において、上記実施の形態１と同一部分は同一符号で示す。この実施の形態２においは、乗場三方枠の左右縦枠２の下端部の昇降路側に点検用開口部９を設け、この開口部９を開閉自在又は着脱自在に閉塞する点検蓋１０を取り付け、更に、左右両側の縦枠２内に設けられた断面Ｕ字状ガイド枠７の下端部の昇降路側に同じく点検用開口部１１を設け、この開口部１１を開閉自在又は着脱自在に閉塞する点検蓋１２を取り付けている点では、実施の形態１と同様であるが、この実施の形態２は、縦枠２下端部の昇降路側の点検用開口部９とガイド枠７下端部の昇降路側の点検用開口部１１との間をトンネル状に連結し、その内側に点検通路を形成するＬ字状の塞ぎ板１３を設けたものである。なお、この塞ぎ板１３はＬ字状のものに限らず、角筒状のものであってよい。
【００１３】
このように構成されたエレベータの乗場出入口装置においては、実施の形態１と同様の効果が得られるとともに、トンネル状の塞ぎ板１３により、点検通路が確実に確保できるため、乗場三方枠にモルタル１４等を詰める建築仕上げにも対応することができるものである。
【図面の簡単な説明】
【００１４】
【図１】この発明の実施の形態１におけるエレベータの乗場出入口装置を示す正面図である。
【図２】この発明の実施の形態１におけるエレベータの乗場出入口装置の中央縦断面図である。
【図３】この発明の実施の形態１におけるエレベータの乗場出入口装置の要部横断面図である。
【図４】図３を昇降路側から見た一部正面図である。
【図５】点検蓋を取り外した状態を示す図４相当図である。
【図６】この発明の実施の形態２におけるエレベータの乗場出入口装置の要部横断面図である。
【図７】図６を昇降路側から見た一部正面図である。
【図８】点検蓋を取り外した状態を示す図７相当図である。
【符号の説明】
【００１５】
１  乗場の戸
２  乗場三方枠の縦枠
３  乗場三方枠の幕板
４  遮煙・遮炎スクリーン
５  遮煙・遮炎スクリーン装置
６  縦枠溝部
７  ガイド枠
８  乗場敷居
９、１１  点検用開口部
１０、１２  点検蓋
１３  塞ぎ板
１４  モルタル
【図１】
2005187174.tif 000003
【図２】
2005187174.tif 000004
【図３】
2005187174.tif 000005
【図４】
2005187174.tif 000006
【図５】
2005187174.tif 000007
【図６】
2005187174.tif 000008
【図７】
2005187174.tif 000009
【図８】
2005187174.tif 000010